(57)【要約】【課題】      分離されて保持されている異なる液体を一定の割合で注ぐ飲料用ボトルを提供する。【解決手段】  外側ボトル（２）と内側容器（４）を有する飲料用ボトルを提供する。内側容器には第一の液体（酒精または風味付け濃縮液）が保持され、外側容器と内側容器との間の空所には第二の液体（非アルコル性または炭酸ガス飽和ミキサー）が保持される。内側容器（４）は、その長さに沿って捩じられて構成されていて第一の液体の流れに対して抵抗し、飲料用ボトルの中身がボトルから直接に消費されるときに、各一口毎に含まれる第一液体と第二液体の割合が実質的に同じになるようにしている。
2006502923.tif 000002
【特許請求の範囲】
【請求項１】
第一の液体を保持する外側容器（２）と、この外側容器（２）内に配されていて、第二の液体を保持する捩じれ構造の内側容器（４）とを有していて、第一の液体と第二の液体がボトルから注がれ、または、分配されるまでは、前記第一の液体と第二の液体とを分離した状態で維持している飲料用ボトル。
【請求項２】
前記内側容器（４）が、前記外側容器の開口端部に位置するスリーブ（６）に固定されている前記請求項１に記載の飲料用ボトル。
【請求項３】
前記スリーブ（６）が、前記第一の液体のボトルからの流出、または、分配を可能にする第一の開口（１０）と、前記第二の液体のボトルからの流出、または、分配を可能にする第二の開口（８）とを有している、前記請求項２に記載の飲料用ボトル。
【請求項４】
前記第一の開口（１０）と前記第二の開口（８）の少なくとも一方が閉止されていて、ボトルの中身が注がれ、または、分配されるまでは、前記第一の液体と第二の液体とが分離された状態に維持されている、前記請求項３に記載の飲料用ボトル。
【請求項５】
前記内側容器（４）が、前記外側容器（２）のベースに取り付けられている、前記各請求項のいずれかに記載の飲料用ボトル。
【請求項６】
前記内側容器（４）が、前記外側容器（２）のベースに、支持カラーの手段で保持されている前記各請求項のいずれかに記載の飲料用ボトル。
【請求項７】
前記内側容器（４）が、円形、長方形、正方形、または三角形の断面を有する、前記各請求項のいずれかに記載の飲料用ボトル。
【請求項８】
前記外側容器（２）が、ガラスまたはプラスチック材料で作られている、前記各請求項のいずれかに記載の飲料用ボトル。
【請求項９】
前記内側容器（４）が、ガラスまたはプラスチック材料で作られている、前記各請求項のいずれかに記載の飲料用ボトル。
【請求項１０】
前記外側および内側容器（２，４）が透明である、前記各請求項のいずれかに記載の飲料用ボトル。
【発明の詳細な説明】
【技術分野】
【０００１】
この発明は、飲料用ボトルに関し、特には、異なる液体を別々に保持する飲料用ボトルに関する。
【背景技術】
【０００２】
“アルコポップ（Ａｌｃｏｐｏｐ）”飲料は、ウオッカや白ラム酒等の酒精と、水、トニック、または、果汁等の非発泡性または炭酸ガスを飽和させたミキサーとをブレンドしたものである。これらの飲料は、また、そのミキサーの純粋な味を害したり、あるいは、弱める可能性のある、フレーバリング、着色料、および、化学安定剤等の人工添加剤をも多量に含んでいる。このことは、水、トニック、または、レモネード等の非発泡性または炭酸ガス飽和ミキサーに風味付け濃縮液がブレンドされるある種の非アルコール飲料の場合でも同様である。
【０００３】
内側および外側容器を有していて、液体を分離して保持する飲料用ボトルは既に知られている。例えば、英国特許第１２７９２２６号には、外側ボトル１と、風味付け濃縮液またはシロップを保持する真っ直ぐな側面を有するガラス管２とを有する飲料用ボトルが開示されている。このガラス管２は、ボトル１のベースに設けられた支持部３に載置され、ボトルの口に円錐形の取り付け具５で固定されている。管２の外側空間にはソーダ水等のミキサーが保持される。管２の開口端とボトルの口は、実質的に一平面内にあり、単一の王冠８で閉ざすことができる。王冠８を取り外して、管２およびボトル１の中身をグラスに注ぐことで、風味付けされたソータ水を得ることができる。
【０００４】
分離されている液体は、通常は、飲料用ボトル内の全量を単一動作でグラスに注ぐことで、混合され、最終のアルコール飲料または非アルコール飲料とされる。このことは、正しい量の酒精または風味付け濃縮液とミキサーとがグラスに注がれるように、内側容器の容積と内外容器間の容積を選ばなければならないことを意味する。しかしながら、今日では、分離された液体が飲料用ボトルから直接に飲まれるのが普通になっている。この場合、酒精または風味付け濃縮液のミキサーに対する割合を各一口分毎に同じにしなければならないので、飲料用ボトルの設計に更なる要件が課せられる。換言すれば、飲料用ボトルの口を通して分配される酒精または風味付け濃縮液とミキサーとの速さが、注意深く制御されなければならないということである。もし、この速さが制御されないと、飲用者は、ミキサーの全てを飲み終えているのに、酒精または風味付け濃縮液がまだ残っている、あるいは、この逆のことを経験することになる。
【０００５】
【特許文献１】英国特許第１２７９２２６号明細書
【発明の開示】
【発明が解決しようとする課題】
【０００６】
この発明は、分離されて保持されている異なる液体が一定の割合で注がれるような飲料用ボトルを提供することを目的とする。
【課題を解決するための手段】
【０００７】
この発明は、第一の液体を保持する外側容器と、外側容器内に配されていて、第二の液体を保持する捩じれ構造の内側容器とを有するボトルであって、第一の液体と第二の液体がボトルから注がれ、または、分配されるまでは、前記第一の液体と第二の液体とを分離した状態に維持している飲料用ボトルを提供する。
【０００８】
内側容器は、その長手方向に沿って捩じれが付与されていて、飲料用ボトルから第二の液体が分配される速度が制御される。内側容器の内面が螺旋状をしているので、内側容器からの第二の液体の流れに対して抵抗する複雑なせん断力が発生する。この断力は、また、第一および第二液体が飲料用ボトルから分配されるときにボトルの首部で第一および第二液体の混合を助ける小さな渦のような回転力を発生させる。内側容器に形成する捩じれの数を選択して、飲料用ボトルから直接に分配される一口毎の飲料に含まれる第一および第二液体の割合が実質的に同じ割合になるように内側容器の液体の分配速度を正確に決定することができる。
【０００９】
内側および外側容器は、好ましくは、別々に形成される。
【００１０】
この飲料用ボトルが“アルコポップ”飲料の販売に使用される場合には、酒精を内側容器に入れ、非アルコール性または炭酸ガス飽和ミキサーを内側容器と外側容器の間の空所に入れることができ、または、その逆に入れることもできる。酒精とミキサーは、飲料用ボトルの中身が注ぎ出され、または、分配されるまでは、分離して保持されているので、得られる“アルコポップ”飲料は、新たに混合されたばかりの味のものであろう。更に、例えば、ミキサーが果汁または涌き水である場合には、内側容器の酒精に何らかの人口添加剤を添加してミキサーの味を落とさないようにすることもがきる。この飲料用ボトルが、非アルコール飲料の販売にも使用することができることは容易に理解されよう。この場合には、風味付け濃縮液を内側容器に保持し、ミキサーを内側容器と外側容器の間の空間に保持することができ、あるいは、その逆に保持することができる。
【００１１】
“アルコポップ”あるいは非アルコール飲料の場合には、通常、酒精や風味付け濃縮液の量はミキサーの量よりずっと少ないのが普通である。したがって、内側容器の容積と、内側容器と外側容器との間の空間を選定して、ボトルの中身をグラスに注いだときに、ミキサーに対する酒精または風味付け濃縮液の割合が正しい割合になるようにすることができる。
【００１２】
内側および外側容器は、好ましくは、透明なものとして、飲料用ボトル内の第一液体と第二液体が見えるようにされる。飲料用ボトルの外観を改善するために、第一液体を無色とし、第二液体を着色することもできる。第二液体が通常の明るいウオッカまたは白ラム酒である場合には、天然食品着色剤を添加したり、あるいは、内側容器を不透明または半透明な色付き材料で作ることができる。
【００１３】
内側容器は、好ましくは、飲料用ボトルの首部に配置されたスリーブに固定される。このスリーブは、外側容器の開口に圧入され、または、接着剤または機械的固定部を使用して固定される。内側容器は、好ましくは、外側容器のベースに固定され、輸送または貯蔵中に外側容器内でズレ動くのが防止される。例えば、外側容器のベースに、内側容器の底部が受け入れられる支持カラーまたは中央凹部を形成することができる。
【００１４】
前記スリーブは、好ましくは、飲料用ボトルから内側容器と外側容器との間の第一液体を注ぐこと、または、分配することを可能にする少なくも一つの第一開口を有する。スリーブには、好ましくは、飲料用ボトルから内側容器の第二液体を注ぐこと、または、分配することを可能にする第二開口も設けられる。スリーブは、外側容器の首部に配置される外側スリーブと、前記第二開口を画定し、径方向ブリッジ片で前記外側スリーブに連結された内側スリーブとを含むものとすることができる。内側容器の上端部は、好ましくは、内側スリーブ内に受け入れられている。
【００１５】
第一液体と第二液体を完全に分離させておくために、前記第一開口および第二開口の少なくとも一つは、シールまたはライナの手段で閉止されている。シールまたはライナで第一および第二開口の両方を閉止することもできる。このシールの一例は、前記スリーブの上面に着座し、スリーブとボトルキャップの間に閉じ込められるプラスチックまたはゴム製プラグである。しかしながら、他の適当なシールまたはライナを使用することもできる。
【００１６】
第一および第二液体が分配される割合は、前記第一開口の断面積と前記第二開口の断面積との比を変えることで制御することもできる。このことは、飲料用ボトルから直接に分配される各一口分に、第一および第二液体が実質的に同一割合で含まれることを確実にする上でも有効である。
【００１７】
捩じれを設けた内側容器は、実質的に円形、矩形、正方形、あるいは、三角形の断面を有する閉鎖スリーブから作ることができる。
【００１８】
内側容器および外側容器の両方をガラス、または、プラスチック材料で成形することができる。
【発明を実施するための最良の形態】
【００１９】
図１は、この発明の飲料用ボトルの側面図で、飲料用ボトルは、ガラス製の外側ボトル２と、ＰＥＴ製の内側容器４を有する。図２に示すプラスチック製のスリーブ６が外側ボトル２の首部に取り付けられる。スリーブ６は、外側ボトル２の開口端に圧入されている。スリーブ６は、接着剤を使用して固定したり、あるいは、外側ボトルの内面にスリーブを下から支える突起または環状リブを設けて固定することもできる。スリーブ６は、中央の矩形開口８と四個の径方向外側開口１０を有する。内側容器４は、矩形断面を有し、前記中央の開口８に圧入されている。したがって、内側容器４の上端部分は、スリーブ６によって、飲料用ボトルの首部に確りと保持される。内側容器４内の液体は、中央開口８を通して注がれ、または、分配される。同様に、外側ボトル２と内側容器４との間の空間内の液体は、外側開口１０を通して注がれ、または、分配される。
【００２０】
内側容器４の底部は、外側ボトル２のベースに固定された支持カラー１２内に受け入れられている。この支持カラー１２は、内側容器４を安定に保持し、輸送および貯蔵時に内側容器４が外側ボトル内でズレ動かないようにしてある。
【００２１】
内側容器４は、その長手方向に沿って捩じられている。図１は、三個の分離捩じれ部を有する内側容器４を示すが、内側容器４には、後述する理由で、任意個数の捩じれ部を設けることができる。
【００２２】
外側ボトル２と内側容器４との間の空間は、涌き水またはトニック等の明るい非アルコール性または炭酸ガス飽和ミキサーで満たされる。内側容器４は、ウオッカまたは白ラム酒等の酒精で満たされる。このようにして、酒精とミキサーは、分離されて保持されていて、飲料用ボトルからグラスに注がれ、または、飲料用ボトルから直接に消費されるときにだけブレンドされる。飲料用ボトルの外観を改善するために、酒精に食品用着色剤が添加される。内側容器４の着色された中身は、明るいミキサーを通して見える状態とされので、この飲料用ボトルがバー、クラブまたはレストランの棚の上で背後から照らされると、高級な“宝石をちりばめたような”様相を呈すであろう。酒精には、ミキサーの味を損なわないように、いろいろな人工添加物も添加される。
【００２３】
内側容器４の容積と、外側ボトル２と内側容器４との間の空所の容積の比は、飲料用ボトルの中身がグラスに注がれたときに、ミキサーに対する酒精の正確なブレンド比が得られるように、選定される。例えば、ミキサーに対する酒精の正しいブレンド比が１：５であるならば、内側容器４の容積は、外側ボトル２と内側容器との間の空所の容積の五分の一とされる。
【００２４】
飲料用ボトルの中身を、ボトルから直接に飲むこともでき、内側容器４の捩じれ数が酒精の分配される速度を制御する。これにより、各一口分が実質的に同じ酒精とミキサーとの混合比率のものされる。複雑なせん断力が内側容器４からの酒精の流れに対する抵抗となり、且つ、小さい渦状回転力を発生させ、飲まれる前に、飲料用ボトルの首部で酒精とミキサーとの混合が助長される。
【００２５】
酒精とミキサーとが分配される割合は、中央開口８と外側開口１０の断面積の比を変えることでも制御される。
【００２６】
外側ボトル２は、適当なキャップ（図示せず）で閉じられる。酒精とミキサーとの間の完全分離を維持するために、ドーム状のゴム製プラグ１４がスリーブ６の上面に配置される。このプラグ１４のドーム状端部１６が中央開口８を閉止し、内側容器４内の酒精が、外側ボトル２と内側容器の間のスペースに入るのが防止される。プラグ１４は、キャップ（図示せず）によってスリーブ６に対して確りと押し付けられている。プラグ１４の代わりに他の適当なシールまたはライナを使用することもできる。特に、シールまたはライナは、キャップ（図示せず）と一体に作ることができる。
【図面の簡単な説明】
【００２７】
【図１】発明の飲料用ボトルの側面図である。
【図２】図１の飲料用ボトルのネック部に配置される内側スリーブの斜視図である。
【符号の説明】
【００２８】
２    外側ボトル
４    内側容器
６    スリーブ
８    スリーブの中央開口
１０    スリーブの外側開口
１２    支持カラー
１４    プラグ
１６    プラグのドーム状端部
【図１】
2006502923.tif 000003
【図２】
2006502923.tif 000004
【国際調査報告】
2006502923.tif 000005
2006502923.tif 000006